(57)【要約】【課題】海洋観測装置の小型化、軽量化。【解決手段】  伝送装置を収納した耐圧筐体と、光海底ケーブル引留め部とを備え、耐圧筐体内に該耐圧筐体に取付けられた圧力導入管に接続された感圧センサーを該耐圧筐体から絶縁して収納し、圧力導入管は、オイルが充填されており、感圧センサーはオイルを介して水圧を測定するよう構成される。【選択図】図１
2008249553.tif 000002
【特許請求の範囲】
【請求項１】
伝送装置を収納した耐圧筐体と、光海底ケーブル引留め部とを備え、
前記耐圧筐体内に該耐圧筐体に取付けられた圧力導入管に接続された感圧センサーを該耐圧筐体から絶縁して収納し、
前記圧力導入管は、オイルが充填されており、前記感圧センサーは前記オイルを介して水圧を測定するよう構成されている海洋観測装置。
【発明の詳細な説明】
【技術分野】
【０００１】
本発明は、通信用光海底ケーブルを使用して地震、津波等の各種海洋情報を計測するためにセンサーを実装した海洋観測装置に関する。
【背景技術】
【０００２】
津波情報を津波センサーを備えた海洋観測装置を用いた光海底ケーブルを伝送路として陸上基地局まで伝送するケーブル伝送方式が提案されている。この方式のものは、津波等の海面の変位データをリアルタイムで常時伝送することが可能であるという利点を備えている。
津波センサーとして用いられる外部圧力を関知する圧力計を備えた海洋観測装置の構造としては、特許文献１に記載された構造が知られている。特許文献１に記載された海洋観測装置の構成を図５〜図７に基づいて説明する。
【０００３】
特許文献１に記載されている圧力センサー１０４は、測定すべき圧力に応答して周波数が変化する感圧水晶と基準周波数を発生する参照水晶の周波数の差を検出することにより、外部圧力を関知する構造のもので、
海洋観測装置は、変調回路と増幅回路を含む伝送装置１０３を絶縁体１０２を介して耐圧筐体１０１に収納し、その両端部に海底ケーブル引留め部のカップリングと接続する接続リング１０７を備え、接続リング１０７は中空の円筒状であり、この中に感圧センサー１０４を収納し、接続リング１０７はオイル１０９で充填されている。そして接続リング１０７内のオイル１０９を介して、感圧センサー１０４が外部圧力を感知して圧力計をなしている。
【０００４】
【特許文献１】特開平８-２５１７９７号公報
【発明の開示】
【発明が解決しようとする課題】
【０００５】
特許文献１に記載の海洋観測装置の感圧センサー１０４は、図示しない金属製容器に取付けられ、、これがオイルを充填した小筐体１０８に断熱材を介して固定されており、更にこの小筐体１０８がベリリウムの固定材を介して耐圧筐体１０１の両端に備えられた接続リング１０７に固定され、接続リング１０７はオイル１０９で充填されている。海水の圧力は、オイル１０９を介して感圧センサー１０４に供給され、圧力が測定される。
【０００６】
このようにして海水の圧力変化を観測することができるが、感圧センサー１０４は、金属容器、小筐体１０８を介して、オイル１０９で充填された接続リング１０７の中に収納されているため、接続リング１０７は多大な容積、重量を伴う構造物となっている。
【０００７】
特許文献１に記載の海洋観測装置１１０は、図６に示すように、耐圧筐体１０１を中心に、図において右側に感圧センサーが実装された接続リング１０７、左側に実装されていない接続リング１０７｀と、左右にケーブル引留め構造を介して光海底ケーブル１２１と接続されている。ケーブル引留め構造は、カップリング１１１と引留め部１１２とゴムブーツ１１３が、ジンバル機構１１５を介して屈曲可能に接続され、ジンバル機構１１５はベローズ１１４でおおわれている。光ファイバケーブル１２０は、ジンバル機構１１５を通って、ケーブル引留め部１１２で光海底ケーブル１２１と接続されている。このように、従来の海洋観測装置１１０は、ケーブル軸線方向の剛直部が長くなり重量も大きく、長大な構造物となっていた。
【０００８】
光海底ケーブルに接続された海洋観測装置を海底下に敷設する際や、海底から回収する際には、敷設船の先端に取付けられた円筒状のシーブに海底ケーブルを巻き付け張力を掛けながら海底ケーブルを繰り出して敷設し、また引き上げ回収を行う。このとき、海底ケーブルに接続された海洋観測装置もシーブを通過させて繰り出し、また引き上げ回収する。ここで、海洋観測装置の剛直部が長いと、シーブ径が大きくないと通過できないため、クレーン等で吊って敷設、回収を行わなければならないという不都合が生じる。
【０００９】
このため、海洋観測装置の剛直部長は短い方が望ましいが、感圧センサー１０４を収納した接続リングを取付けているため、海洋観測装置全体の剛直部長（海耐圧筐体，接続リングの全体を剛直部といい、その長さを剛直部長という。）が長くなり、敷設、回収の際シーブを通過できなくなり、敷設、回収作業が複雑になり、工数も増大するという問題点があった。
【課題を解決するための手段】
【００１０】
本発明は、上記解決すべき課題を解決するために、海洋観測用の海洋観測装置の耐圧筐体内に感圧センサー本体を実装し、耐圧筐体に取付けたオイルを充填した圧力導入管によって、オイルを介して海水圧の変化を測定するようにしたもので、感圧センサーを耐圧筐体内に収納して観測装置を小型化、軽量化したものである。
【００１１】
本発明は、伝送装置を収納した耐圧筐体と、光海底ケーブル引留め部とを備え、前記耐圧筐体内に該耐圧筐体に取付けられた圧力導入管に接続された感圧センサーを該耐圧筐体から絶縁して収納し、前記圧力導入管は、オイルが充填されており、前記感圧センサーは前記オイルを介して水圧を測定するよう構成されている。
【発明の効果】
【００１２】
感圧センサーは、伝送装置とともに耐圧筐体に絶縁された状態で収納されている。また、オイルを充填した圧力導入管が耐圧筐体に取付けられており、この圧力導入管は感圧センサーに接続され、感圧センサーはオイルを介して海水の水圧を測定するものとされている。
このように感圧センサーは直接海水に接することなく耐圧筐体内で保護しながら圧力導入管に充填されたオイルを介して海水の圧力変化を測定することができるので、感圧センサーが直接海水と接触して劣化することを防止し、外部からの応力や耐水圧からも保護することができるものである。
さらに、感圧センサーは、耐圧筐体内に収納しているので、剛直部の長い接続リングを設けて、この長い接続リング内部に感圧センサー、オイルを収納した小筐体を設けるという構成をとることがないため、海洋観測装置の剛直部長が短くなり、軽量化を図ることができる。
また、カップリング及びジンバル機構を省略して耐圧筐体に接続リングを介して直接ケーブル引留め部を接続することも可能で、この場合、さらに、海洋観測装置の剛直部長を短くすることができる。
このため、海底ケーブルに接続された海洋観測装置を海底下に敷設する際や回収する際にも敷設船の先端に取付けられたシーブに海洋観測装置を通過させて繰り出し、引き上げをすることが可能となって、海洋観測装置をクレーン等で吊って敷設、回収するという複雑な作業が不要となり、作業工数を低減することができる。
【発明を実施するための最良の形態】
【００１３】
本発明の実施例を図１〜図４に基づいて説明する。
海洋観測装置１０は、中継伝送装置と計測信号転送回路を含む伝送装置３が絶縁体２を介して、耐圧筐体１に収納されている。感圧センサー４は、オイルが充填されている圧力導入管５の一端が接続され、絶縁体２を介して耐圧筐体１に収納されている。耐圧筐体１から構成される海洋観測装置１０は、その両端の接続リング７と、ケーブル引留め構造を介して光ケーブル２１と接続されている。ケーブル引留め構造は、カップリング１１と引留め部１２と、ゴムブーツ１３が、ジンバル機構１５を介して屈曲可能に接続され、ジンバル機構１５はベローズ１４でおおわれている。光ファイバケーブル２０は、ジンバル機構１５を通って、光海底ケーブル２１と接続されている。
【００１４】
耐圧筐体１には、小穴５｀が穿孔されており、感圧センサー４にその一端が取付けられた圧力導入管５は、該小穴５｀にその他端が挿入がされて密封され、耐圧筐体１の該小穴５｀から充填されているオイルによって海水圧を感知する。感圧センサー４は、海水圧を、耐圧筐体１の圧力導入管に充填されている該オイルを介して測定するように構成され、海水圧の変化を常時感知することができ、その海水圧測定データを常時伝送装置３に送信するようにする。伝送装置３は、感圧センサー４から送られてくる海水圧の測定データを光海底ケーブル２１によって伝送し、地上の津波観測センター等（図示なし。）に送信する。
【００１５】
このように、感圧センサー４は、直接海水に接することなく、耐圧筐体１内で保護されながら、圧力導入管５に充填されたオイルを介して海水の圧力変化を測定することができるので、感圧センサー４が海水と直接接触して劣化することを防止し、外部からの応力や耐水圧からも保護する構成となっている。
ケーブル引留構造のカップリング１１と接続する接続リング７は、光海底ケーブル２１との接続用の光ファイバケーブル２０のみを収納構造となっているので、接続リング７を短くすることができる。
【００１６】
また、接続リング７の内部に感圧センサー４を収納する構成をとっていないので、カップリング１１とジンバル機構１５を不要とすることもでき、接続リング７に直接海底ケーブル引留め部１２を取付けるようにすることもできる。このようにすると、更に海洋観測装置の剛直部長を短くすることができる。
【図面の簡単な説明】
【００１７】
【図１】本発明の海洋観測装置の断面図。
【図２】本発明の海洋観測装置を海底ケーブル中継器に実装した場合の側面図。
【図３】図２の側面図において、引留め構造を断面図とした図。
【図４】本発明の他の実施例を示す海洋観測装置を海底ケーブル中継器に実装した場合の側面図。
【図５】特許文献１に記載されている海洋観測装置の断面図。
【図６】特許文献１に記載されている海洋観測装置を海底ケーブル中継器に実装した場合の側面図。
【図７】図６の側面図において、引留め構造を断面図とした図。
【符号の説明】
【００１８】
１  耐圧筐体、２  絶縁体、３  伝送装置、４  感圧センサー、５  圧力導入管、６  光ファイバ貫通部、７  接続リング、１０  海洋観測装置、１１  カップリング、１２  ケーブル引留め部、１３  ゴムブーツ、１４  ベローズ、１５  ジンバル機構、２０  光ファイバケーブル、２１  光海底ケーブル
【図１】
2008249553.tif 000003
【図２】
2008249553.tif 000004
【図３】
2008249553.tif 000005
【図４】
2008249553.tif 000006
【図５】
2008249553.tif 000007
【図６】
2008249553.tif 000008
【図７】
2008249553.tif 000009